(57)【要約】【課題】照明装置をホルダーに取り付ける際、任意の位置でホルダーに取り付けることができ、さらに同一のホルダーに対して複数の方向で固定することを可能とする照明装置を提供する。【解決手段】照明装置１は、断面が長手方向で同一の管状の形状を有するパイプ部材２と、パイプ部材２の内部に保持され、長手方向に沿って延びる回路基板４と、回路基板４の一方の面に、長手方向に沿って配置された複数の発光素子５と、を有し、パイプ部材２は、回路基板４の複数の発光素子５が配置される面４ａとは反対側の外周面２ａに、パイプ部材２の中心軸に対する中心角が９０度となるように一対の凸部２１、２１が長手方向に沿って形成されている。【選択図】図３
2018092738.tif 000002
【特許請求の範囲】
【請求項１】
断面が長手方向で同一の管状の形状を有するパイプ部材と、
前記パイプ部材の内部に保持され、前記長手方向に沿って延びる回路基板と、
前記回路基板の一方の面に、前記長手方向に沿って配置された複数の発光素子と、を有し、
前記パイプ部材は、前記回路基板の前記複数の発光素子が配置される面とは反対側の外周面に、前記パイプ部材の中心軸に対する中心角が９０度となるように一対の凸部が前記長手方向に沿って形成された照明装置。
【請求項２】
前記回路基板は、前記パイプ部材の中心軸よりも前記一対の凸部側に配置された請求項１に記載の照明装置。
【請求項３】
前記照明装置を、表示装置の取付部材に取り付ける際、前記照明装置の照射方向が少なくとも９０度ずつ異なる４方向のいずれかの方向となるように前記パイプ部材を前記取付部材に取り付けられる請求項１または２に記載の照明装置。
【発明の詳細な説明】
【技術分野】
【０００１】
本発明は、屋内外に設置される広告看板などに用いられる照明装置に関する。
【背景技術】
【０００２】
従来の技術として、内方にバネ性を有し先端部が拡開可能な挟持部で照明装置を挟持保持するホルダーを用いて固定部に取り付ける照明装置のホルダーに対する回転を防止する照明装置の回転防止機構が提案されている（例えば、特許文献１参照）。
【０００３】
特許文献１に記載の照明装置の回転防止機構は、光透過性の管状の保護カバーで、光源である蛍光灯を覆った照明装置の外周部に突出片を設け、内方にバネ性を有して拡開可能な挟持部で照明装置を挟持保持するホルダーの断面略コ字状に窪んだ凹状の取付部に、照明装置側の突出片を係合させることにより、ホルダーに対する照明装置の回転を防止するようにしている。
【先行技術文献】
【特許文献】
【０００４】
【特許文献１】特開２０１３−２３２２８６号公報
【発明の概要】
【発明が解決しようとする課題】
【０００５】
しかし、上記特許文献１に記載の照明装置の回転防止機構は、回転方向を固定する機構は付いているものの、照明装置をホルダーに取り付ける際、その固定方向がホルダーにより一定の方向に決まっており、使用目的に応じて固定方向を変更することができない、という問題がある。
【０００６】
本発明の目的は、照明装置をホルダーに取り付ける際、長手方向の任意の位置でホルダーに取り付けることができ、さらに同一のホルダーに対して複数の回転方向で固定することが可能な照明装置を提供することにある。
【課題を解決するための手段】
【０００７】
［１］断面が長手方向で同一の管状の形状を有するパイプ部材と、
前記パイプ部材の内部に保持され、前記長手方向に沿って延びる回路基板と、
前記回路基板の一方の面に、前記長手方向に沿って配置された複数の発光素子と、を有し、
前記パイプ部材は、前記回路基板の前記複数の発光素子が配置される面とは反対側の外周面に、前記パイプ部材の中心軸に対する中心角が９０度となるように一対の凸部が前記長手方向に沿って形成された照明装置。
［２］前記回路基板は、前記パイプ部材の中心軸よりも前記一対の凸部側に配置された前記［１］に記載の照明装置。
［３］前記照明装置を、表示装置の取付部材に取り付ける際、前記照明装置の照射方向が少なくとも９０度ずつ異なる４方向のいずれかの方向となるように前記パイプ部材を前記取付部材に取り付けられる前記［１］または［２］に記載の照明装置。
【発明の効果】
【０００８】
請求項１に係る発明によれば、照明装置をホルダーに取り付ける際、長手方向の任意の位置でホルダーに取り付けることができ、さらに同一のホルダーに対して複数の回転方向で固定することが可能となる。
請求項２に係る発明によれば、従来よりも大きな発光面を確保した照明装置を得ることができる。
請求項３に係る発明によれば、照明装置を同一のホルダーに対して少なくとも９０°毎の４方向のいずれかの方向で固定することができ、様々な表示装置に対して用いることが可能となる。
【図面の簡単な説明】
【０００９】
【図１】図１は、本発明の第１の実施の形態に係る照明装置の概略を示す正面図である。
【図２】図２は、照明装置をホルダーに取り付けた部分を拡大して示す斜視図である。
【図３】図３は、図１のＡ−Ａ線に沿った断面図である。
【図４】図４は、照明装置の寸法を示す図３と同様の断面図である。
【図５】図５は、ホルダーの構成を示す断面図である。
【図６】図６（ａ）〜（ｄ）は、照明装置の照射方向がそれぞれ異なる方向となるようにホルダーに取り付ける方法を示す説明図である。
【図７】図７は、第２の実施の形態としての表示装置を示す概略斜視図である。
【図８】図８は、図７のＢ−Ｂ線に沿った断面図である。
【図９】図９は、第３の実施の形態としての照明装置の取り付け方を示す図７と同様の断面図である。
【図１０】図１０は、第４の実施の形態としての照明装置の両面表示の表示装置への取り付け方を示す図７と同様の断面図である。
【図１１】図１１は、本実施の形態の第１の変形例に用いられるホルダーを示す断面図である。
【図１２】図１２（ａ）〜（ｄ）は、第１の変形例における照明装置の取り付け方法を示す説明図である。
【図１３】図１３は、本実施の形態の第２の変形例に用いられるホルダーを示す断面図である。
【図１４】図１４（ａ）〜（ｈ）は、第２の変形例における照明装置の取り付け方法を示す説明図である。
【発明を実施するための形態】
【００１０】
［第１の実施の形態］
図１は、本発明の第１の実施の形態に係る照明装置の概略を示す正面図である。
【００１１】
図１において、全体を示す符号１は、屋内外に設置された広告看板などに好適に用いられる照明装置として、直管蛍光灯型のＬＥＤ照明灯の一構成例を模式的に示している。照明装置１の外形構成は、円筒パイプからなるパイプ部材２と、パイプ部材２の両端を閉塞するキャップ状の第１及び第２のカバー部材４１、４２とにより形成されている。
【００１２】
パイプ部材２は、例えばアクリル樹脂あるいはポリカーボネート樹脂などの光透過性を有する管状の部材である。また、カバー部材４１、４２の材質としては、例えばアクリル樹脂あるいはポリカーボネート樹脂などの材料が用いられる。
【００１３】
パイプ部材２の外周面２ａには長手方向に沿って一対の凸部２１（図２参照）が形成され、第１及び第２のカバー部材４１、４２からそれぞれリード線１０ａ、１０ｂが延出され、各リード線１０ａ、１０ｂにはそれぞれコネクタ１１ａ、１１ｂが接続されている。
【００１４】
また、符号３は、照明看板装置等の表示装置（図示省略）に照明装置１を取り付けるためのホルダー（取付部材）である。
【００１５】
（ホルダーの構成）
図２に、照明装置１が取り付けられたホルダー３の部分を、拡大した斜視図で示す。図２に示すように、ホルダー３は、コ字状の取付部３１、円形に湾曲した一対の保持部３２及び保持部３２の先端の案内部３３が、例えば、ばね性を有する金属板やプラスチック等で一体に形成されている。
【００１６】
取付部３１は、対向する一対の側面部３１ａ及び底面部３１ｂによりコ字状に形成され、底面部３１ｂにおいて取付ネジ７０等により図示を省略した表示装置の取付部材に取り付け固定される。一対の保持部３２は、照明装置１のパイプ部材２を、その内側に挟んで保持する。また、案内部３３は、照明装置１をホルダー３に取り付ける際、取り付けが容易になるように外側に開いた形状をしている。
【００１７】
取付部３１の側面部３１ａと保持部３２との境界部３４、及び保持部３２と案内部３３との境界部３５は、詳しくは後述するが、それぞれ照明装置１のパイプ部材２の外周に形成された凸部２１と係合し、照明装置１の回転を防止する働きをする。
【００１８】
（照明装置の内部構成）
図３は、図１のＡ−Ａ線に沿った断面図である。図３に示すように、照明装置１のパイプ部材２の内周面２ｂには、内周面２ｂから径方向に突出し、内周面２ｂの長手方向に沿って平行に延びる一対の係合受部である凹部２２が形成されている。凹部２２は、パイプ部材２の中心軸線から偏った部位に形成されている。この凹部２２には回路基板４の端縁が着脱可能に挿入固定されている。
【００１９】
回路基板４は、パイプ部材２とカバー部材４１、４２との内部に、パイプ部材２の長手方向に沿って保持され、照明装置１の骨格部材として構成されている。回路基板４の材質としては、ガラス基材（例えば、ＦＲ−４等）又はエポキシ系・ポリエステル系コンポジット基材（例えば、ＣＥＭ−３等）などの材料が挙げられる。
【００２０】
また、回路基板４の一方の面（パイプ部材２の中心軸線側の面）４ａには、照明機能を有する発光素子である複数のＬＥＤ（発光ダイオード）５が長手方向に沿って所定の間隔をもって一列に配列されている。なお、発光素子はレーザダイオードでもよい。これらのＬＥＤ５への電源は、回路基板４に接続されたリード線１０ａ、１０ｂ及びコネクタ１１ａ、１１ｂを介して供給される。
【００２１】
また、図示例によれば、パイプ部材２の凹部２２は、内周面２ｂの長手方向に沿って延びるレール状の凹凸部となっているが、これに限定されるものではなく、例えば、パイプ部材２の内周面２ｂから径方向に窪んでおり、内周面２ｂの長手方向に沿って延びる溝状に形成してもよい。
【００２２】
また、パイプ部材２の外周面２ａに長手方向に沿って形成された凸部２１は、図３に示すように、パイプ部材２の周方向に一定の間隔を有して一対をなすように形成されている。そして、この一対の凸部２１、２１がそれぞれホルダー３の取付部３１の側面部３１ａと保持部３２との境界部３４と係合している。
【００２３】
このように、この図３に示す例においては、パイプ部材２の凸部２１がホルダー３の境界部３４と係合することにより、パイプ部材２すなわち照明装置１の回転が防止される。
【００２４】
図４は、照明装置１の断面図であり、この図を用いて照明装置１の各種寸法の一例を説明する。図４に示すように、照明装置１のパイプ部材２は、円筒状を有しており、その直径ｄは、２０ｍｍ、円筒の壁の厚さｔは１．４ｍｍである。また、パイプ部材２の外周面２ａに一対の凸部２１、２１が形成される位置は、それぞれＬＥＤ５の光軸の中心線から４５度の角度をなす位置である。従って、一対の凸部２１、２１は、円筒の中心に対して中心角９０度をなすように形成される。なお、中心角９０度は正確な角度である必要はなく、一定の範囲の誤差（例えば±２度）は許容される。各凸部２１の高さｈは０．８ｍｍ、凸部２１断面は半円状を有しておりその半径Ｒは０．８ｍｍである。
【００２５】
また、パイプ部材２の内周面２ｂに形成される、回路基板４が挿入固定される凹部２２は、パイプ部材２の中心軸線から偏った部位に形成されるので、図４に破線の矢印Ｈで示すように、照明装置１の発光面を大きく確保することができ、広い照射範囲を得ることができる。なお、回路基板４は、一方の面４ａが筒状のパイプ部材２の中心軸線からの距離が、例えばパイプ部材２の直径ｄの１／５〜２／５となるように形成されている。
【００２６】
図５は、ホルダー３の断面図である。前述したように、ホルダー３は、取付部３１、保持部３２及び案内部３３から構成されている。取付部３１は、側面部３１ａ及び底面部３１ｂとから構成されている。側面部３１ａと保持部３２との間、及び保持部３２と案内部３３との間は、それぞれ湾曲した境界部３４、３５となっており、これら境界部３４、３５にパイプ部材２の凸部２１が係合するようになっている。
【００２７】
保持部３２は、照明装置１の円筒状のパイプ部材２の周囲を保持するように円形状に湾曲し、その中心に対する一対の境界部３４、３４の中心角は、９０°より多少大きく９６°（あるいは、ある程度の範囲を持たせて９１°〜１０１°）となるように形成されている。これは、中心角９０°の一対の凸部２１、２１が境界部３４、３４より内側に位置して係合するためである。また、境界部３４と境界部３５（案内部３３）とのなす中心角は、９０°より多少小さく８４°（あるいは、７９°〜８９°）となるように形成されている。これは、中心角９０°をなす一対の凸部２１、２１がこれらの境界部３４、３４より外側に位置して係合するためである。
【００２８】
（照明装置の取付方法）
次に、図６を用いて、照明装置１のホルダー３への取り付け方法を説明する。この照明装置１は、円筒状の保パイプ部材２の外周面２ａに円筒の中心に対して中心角９０°をなすように一対の凸部２１、２１を形成したことにより、以下説明するように、照射方向が少なくとも９０°毎の異なる４つの方向に向くように取り付けることができる。
【００２９】
まず、図６（ａ）に示すように、パイプ部材２の一対の凸部２１、２１を、それぞれホルダー３の取付部３１の側面部３１ａと湾曲部３２との一対の境界部３４、３４と係合させて取り付ける。このとき一対の境界部３４、３４の円筒の中心に対する中心角θ１は、凸部２１、２１の中心角９０°よりも多少大きく（例えば９６°あるいは９１°〜１０１°に）形成されている。これにより、一対の凸部２１、２１が一対の境界部３４、３４とちょうど係合して、パイプ部材２の回転が防止される。
【００３０】
このとき、照明装置１のホルダー３に対する取り付け方向は、回路基板４がホルダー３の取付部３１の底面部３１ｂと略平行となり、ＬＥＤ５が一対の案内部３３、３３が開放されている側（図の上方）を向くような方向となっている。従って、このとき照明装置１の照射方向は、図に矢印で示したように、図の上方を向いている。
【００３１】
次に、図６（ｂ）に示すように、パイプ部材２の一対の凸部２１、２１を、図の右側のホルダー３の取付部３１の側面部３１ａと湾曲部３２との境界部３４、及び湾曲部３２と案内部３３との境界部３５とそれぞれ係合させて取り付ける。このとき二つの境界部３４及び３５の円筒の中心に対する中心角θ２は、一対の凸部２１、２１の中心角９０°よりも多少小さく（例えば、８４°あるいは７９°〜８９°に）形成されている。これにより、一対の凸部２１、２１が境界部３４、３５とちょうど係合して、パイプ部材２の回転が防止される。
【００３２】
このとき、照明装置１のホルダー３に対する取り付け方向は、回路基板４がホルダー３の取付部３１の底面部３１ｂに対して略垂直となり、ＬＥＤ５が図の左側を向くような方向となっている。また、このとき照明装置１の照射方向は、図に矢印で示したように、図の左方向を向いている。
【００３３】
次に、図６（ｃ）に示すように、パイプ部材２の一対の凸部２１、２１を、ホルダー３の一対の案内部３３、３３とそれぞれ係合させて取り付ける。このとき一対の案内部３３、３３（境界部３５、３５）の円筒の中心に対する中心角θ３は、図６（ａ）のθ１と同じように形成されている。これにより、一対の凸部２１、２１が一対の案内部３３、３３とちょうど係合して、パイプ部材２の回転が防止される。
【００３４】
このとき、照明装置１のホルダー３に対する取り付け方向は、回路基板４がホルダー３の取付部３１の底面部３１ｂと略平行となっているが、図６（ａ）の場合とは異なり、ＬＥＤ５がホルダー３の取付部３１の底面部３１ｂの方（図の下方）を向くような方向となっている。また、このとき照明装置１の照射方向は、図に矢印で示したように、図の下方を向いている。
【００３５】
次に、図６（ｄ）に示すように、パイプ部材２の一対の凸部２１、２１を、図の左側のホルダー３の取付部３１の側面部３１ａと湾曲部３２との境界部３４、及び湾曲部３２と案内部３３との境界部３５とそれぞれ係合させて取り付ける。これはちょうど上述した図６（ｂ）とは左右を逆にした場合に相当する。
【００３６】
このとき、照明装置１のホルダー３に対する取り付け方向は、回路基板４がホルダー３の取付部３１の底面部３１ｂに対して略垂直となり、ＬＥＤ５が図の右側を向くような方向となっている。また、このとき照明装置１の照射方向は、図に矢印で示したように、図の右方向を向いている。
【００３７】
このように図６（ａ）〜（ｄ）で説明したように、本実施の形態では、同一のホルダー３に対して、照明装置１の取り付け方向を略９０°ずつ変えた４方向に取り付けることができる。また、ホルダー３の側からみると、図１に示すように、照明装置１のパイプ部材２の外周に凸部２１を長手方向に沿って設けたので、直管型の照明装置１の長手方向の任意の場所でホルダー３を取り付け、照明装置１を固定し回転を防止することができる。さらに、この固定用の凸部２１は、図４に示すように、回路基板４のＬＥＤ５が配置されていない側のパイプ部材２の外周面２ａに形成されているので、発光の妨げとはならない。
【００３８】
従って、照明装置１の長手方向の任意の位置にホルダー３を取り付け、また任意の回転方向で固定することができ、取り付けの自由度が非常に大きいため、本実施形態の照明装置１を、様々な骨組み構造を有する照明看板装置等の表示装置に対して適用することができる。
【００３９】
［第２の実施の形態］
次に、本発明の第２の実施の形態について説明する。これは、上述した照明装置１をホルダー３を有する表示装置（照明看板装置）に実際に適用した例である。
【００４０】
図７に、照明装置を取り付けた表示装置の概略斜視図を示す。図７は、例えば照明装置１を、内照式の照明装置として適用した、屋外に設置される表示装置６を模式的に示したものである。
【００４１】
この表示装置６は、例えば店舗等の壁面に設置されるものであり、直方体状を有し、前面の一面のみが広告表示部６１で、他の５つの面は、内部に照明装置１が配置される筐体６２となっている。図７では、筐体６２の内部に３つの照明装置１が縦方向に格納されているが、設置される照明装置の数は３つに限定されるものではなく、表示装置６の大きさや、広告表示部６１の内容等に応じて適当な数の照明装置１が設置される。また、照明装置１を筐体６２内に設置する方向も縦方向でなく横方向でもよい。
【００４２】
（照明装置の取付方法）
図８は、図７中のＢ−Ｂ線に沿った表示装置６の断面図である。図８に示すように、表示装置６は、筐体６２の前方の開口部には広告表示部６１が形成され、筐体６２の背面の広告表示部６１と対向する面に取付板（取付部材）６２ａが設けられている。取付板６２ａには、取付ネジ７０でホルダー３が取り付けられ、ホルダー３に照明装置１が取り付けられている。
【００４３】
表示装置６の筐体６２の材質は、特に限定されるものではないが、アルミニウム等の金属材料又はポリカーボネート等の樹脂材料からなる。筐体６２の内面は銀又はアルミニウム等からなる金属反射シート６２ｂが貼り付けられており、光の反射効率を高めている。また、筐体６２の内面は、金属反射シート６２ｂの代わりに、例えば白色塗装を施してもよく、あるいは筐体６２自体を白色系の樹脂材料で形成するようにしてもよい。
【００４４】
また、表示装置６の広告表示部６１は、広告板６１ａ、透明板６１ｂ、及び散乱板６１ｃを積層して形成されている。この透明板６１ｂ及び散乱板６１ｃは、透明樹脂又は透明ガラス等からなる。透明板６１ｂは、文字、記号、図形等を構成する広告が印刷された広告板６１ａを保護する。散乱板６１ｃの表面又は裏面には、図示しない微細な凹凸が形成されており、これによって入射光が散乱させられるようになっている。
【００４５】
なお、図示例では、三層構造を有する広告表示部６１を例示したが、これに限定されるものではない。例えば、一枚の乳白パネルの表面に文字等を構成する広告を印刷したり、一枚のに乳白パネルの表面に広告を印刷した透明又は半透明の広告シートを貼り付けるようにしてもよい。
【００４６】
図８に示す例では、ホルダー３に対して照明装置１を図６（ａ）に示すように取り付けたものを用いている。従って、図８に示すように、この場合には照明装置１の回路基板４は広告表示部６１に略平行となっており、ＬＥＤ５は広告表示部６１の方を向いている。従って、照明装置１から出射された光は主に広告表示部６１に直接あたるようになっており、この場合の照明装置の取付方法は直接照射タイプである。
【００４７】
［第３の実施の形態］
次に、本発明の第３の実施の形態を説明する。これは、上記と同じ表示装置６に対して照明装置１の他の取り付け方法を適用したものである。
【００４８】
図９は、照明装置１を表示装置６に取り付けた状態を示す図８と同様の断面図である。図９に示すように、筐体６２の背面の広告表示部６１と対向する面に取付板６２ａが設けられ、取付板６２ａには、取付ネジ７０でホルダー３が取り付けられている。ただ、照明装置１をホルダー３に取り付ける方法は、図８の例とは異なり、図６（ｃ）に示すように、回路基板４が広告表示部６１と略平行であるが、ＬＥＤ５が筐体６２の背面側の取付板６２ａの方向を向いている。
【００４９】
従って、この例では、照明装置１から出射された光は筐体６２の背面側内面あるいは側面の内面に形成された金属反射シート６２ｂで反射されて広告表示部６１にあたるようになっている。すなわち、この場合の照明装置の取付方法は反射利用タイプである。
【００５０】
なお、筐体６２内面に金属反射シート６２ｂを貼り付ける代わりに、例えばＡＢＳ樹脂等の樹脂材料で形成された反射板を設けるようにしてもよい。このとき反射板の広告表示部６１側の表面に白色塗装を施すことで反射面を形成するようにしてもよいし、白色系の樹脂材料によって反射板を形成するようにしてもよい。
【００５１】
［第４の実施の形態］
次に、本発明の第４の実施の形態を説明する。これは、前後両面が広告表示部となっている表示装置に対して照明装置を取り付けるものである。図１０に、前後両面が広告表示部となっている表示装置７に照明装置１を取り付けた例を示す。この表示装置７は、図６と同様に直方体をした表示装置の内部に、長手方向が縦方向となるようにして複数の照明装置１を配置し、直方体の前面後面を広告表示部７１としたものである。図１０は、このような表示装置７を図７のＢ−Ｂ線と同様に、表示装置７の一部を照明装置１の長手方向と垂直な面で切った断面図である。
【００５２】
図１０に示すように、この表示装置７は、向かい合った両面が広告表示部７１、７１となっており、これを枠体７２が支える構成となっている。広告表示部７１は、前の例と同様に、広告板７１ａ、透明板７１ｂ、及び散乱板７１ｃを積層して形成されている。また、側面部７２の内面も前の例と同様に金属反射シート７２ｂが貼り付けられている。
【００５３】
また、図１０に示すように、表示装置７の内部には照明装置１を長手方向で支えるように縦方向に柱部材８が枠体７２の底面部に立設され、その縦方向の適当な位置で広告表示部７１と対向しない２方向側に取付ネジ７０でホルダー３がそれぞれ取り付けられている。
【００５４】
そして、各ホルダー３に図６（ｂ）及び（ｃ）の取り付け方法で照明装置１が取り付けられている。すなわち、各照明装置１の回路基板４は、それぞれ広告表示部７１と略平行に配置され、一つの照明装置１のＬＥＤ５は一方の側の広告表示部７１に向かって配置され、もう一つの照明装置１のＬＥＤ５は他方の側の広告表示部７１に向かって配置されている。この場合の照明装置の取付方法は両面表示タイプと言える。
【００５５】
これにより、表示装置７の両面に形成された広告表示部７１は、それぞれの照明装置１によって照明されるようになっている。このように、照明装置１の照明方向をホルダー３への取り付け位置に対して略垂直の方向にできることから、表示装置７内における照明装置１の取り付けスペースを抑制でき、さまざまな表示装置への適用が可能となる。
【００５６】
（第１の変形例）
次に、上記の実施の形態に対する第１の変形例について説明する。
【００５７】
図１１に、第１の変形例に用いられるホルダーの断面図を示す。このホルダー１３は、図５に示したホルダー３の側面部３１ａと保持部３２との境界部３４を、特に強調して突起部１３４としたものであり、これにより照明装置１のパイプ部材２の凸部２１との係合をより確実なものとしたものである。
【００５８】
すなわち、ホルダー１３は、取付部１３１、保持部１３２及び案内部１３３から構成され、取付部１３１は、側面部１３１ａ及び底面部１３１ｂとから構成されている。また、側面部１３１ａと保持部１３２との間には突起部１３４が形成されている。この例では、照明装置１のパイプ部材２の凸部２１は、この突起部１３４あるいは案内部１３３の湾曲した部分に突き当たるようになっている。
【００５９】
また、保持部１３２は照明装置１の円筒状のパイプ部材２の周囲を保持するように円形状となっている。図に示すように、一対の突起部１３４、１３４の中心角は、一対の凸部２１、２１の中心角９０°よりも多少大きく、９６°（あるいは、ある程度の範囲を持たせて９１°〜１０１°）となるように形成されている。また、一つの突起部１３４と案内部１３３のなす中心角は、一対の凸部２１、２１の中心角９０°より多少小さく８４°（あるいは、７９°〜８９°）となるように形成されている。
【００６０】
（照明装置の取付方法）
図１２（ａ）〜（ｄ）に、このホルダー１３に対して照明装置１を取り付けた様子を示す。実施の形態の図６（ａ）〜（ｄ）に示したものと同様に、この場合にも、照明装置１の照射方向を９０°ずつ異なる４方向に向けて取り付けることができる。
【００６１】
図１２（ａ）は、照明装置１のパイプ部材２の一対の凸部２１、２１を一対の突起部１３４、１３４と係合させて、照明装置１を固定したものである。この場合、図６（ａ）と同様に、回路基板４はホルダー１３の底面部１３１ｂと略平行であり、ＬＥＤ５は図の上方を向いており、照射方向は上方である。
【００６２】
図１２（ｂ）は、一対の凸部２１、２１をそれぞれ突起部１３４と案内部１３３とに係合させたもので、図６（ｂ）と同様である。すなわち、回路基板４はホルダー１３の底面部１３１ｂと略垂直であり、ＬＥＤ５は図の左方を向いており、照射方向は左方である。
【００６３】
図１２（ｃ）は、一対の凸部２１、２１をそれぞれ一対の案内部１３３、１３３と係合させたもので、図６（ｃ）と同様である。すなわち、回路基板４はホルダー１３の底面部１３１ｂと略平行であり、ＬＥＤ５は図の下方を向いており、照射方向は下方である。
【００６４】
図１２（ｄ）は、一対の凸部２１、２１をそれぞれ案内部１３３と突起部１３４とに係合させたもので、図６（ｄ）と同様である。すなわち、回路基板４はホルダー１３の底面部１３１ｂと略垂直であり、ＬＥＤ５は図の右方を向いており、照射方向は右方である。
【００６５】
このように、第１の変形例においても、照明装置１の照明方向が９０°毎の異なる４方向を向くようにしてホルダー１３に取り付けることができる。しかもこの場合、突起部１３４と係合するようにしたことにより、凸部２１との係合がより確実なものとなる。
【００６６】
（第２の変形例）
次に、上記の実施の形態に対する第２の変形例について説明する。
【００６７】
図１３に、第２の変形例で用いられるホルダーの断面図を示す。図１３に示すように、このホルダー２３は、図５に示す実施の形態のホルダー３の保持部３２の中間部に凹部を設けたものである。
【００６８】
すなわち、ホルダー２３は、取付部２３１、保持部２３２及び案内部２３３から構成され、取付部２３１は、側面部２３１ａ及び底面部２３１ｂとから構成されている。そして、保持部２３２のちょうど中央に凹部２３２ａが形成されている。従って、この変形例では、照明装置１のパイプ部材２の凸部２１は、この凹部２３２ａ、及び図５と同様に、側面部２３１ａと保持部２３２の境界部、及び案内部２３３の湾曲した部分と係合するようになっている。
【００６９】
図１４（ａ）〜（ｈ）に、このホルダー１３に対して照明装置１を取り付けた様子を示す。
【００７０】
図１４（ａ）、（ｃ）、（ｅ）及び（ｇ）は、図６（ａ）〜（ｄ）あるいは図１２（ａ）〜（ｄ）と同様であり、一対の凸部２１、２１を、側面部２３１ａと保持部２３２の境界部、あるいは案内部２３３の湾曲した部分と係合させるようにして、照明装置１の照明方向が９０°毎の異なる４方向を向くようにホルダー２３に取り付けたものである。
【００７１】
これに対して、図１４（ｂ）、（ｄ）、（ｆ）及び（ｈ）は、第２の変形例に特有のもので、保持部２３２の中間に設けた凹部２３２ａに凸部２１を係合させて、上記図１４（ａ）、（ｃ）、（ｅ）及び（ｇ）の各位置の中間の回転位置に照明装置１を固定するものである。
【００７２】
図１２（ｂ）においては、一つの凸部２１を凹部２３２ａに係合させ、もう一つの凸部２１はコ字状の保持部２３２の中に位置している。この場合には、図１２（ｂ）に示すように、回路基板４は、保持部２３２の底面部２３１ｂと４５°の角をなし、図１２（ａ）と（ｃ）の中間の位置にある。
【００７３】
図１２（ｄ）においては、一つの凸部２１を凹部２３２ａに係合させ、もう一つの凸部２１は一対の案内部２３３の間の位置している。この場合には、図１２（ｄ）に示すように、回路基板４は、保持部２３２の底面部２３１ｂと１３５°の角をなし、図１２（ｃ）と（ｅ）のちょうど中間の位置にある。
【００７４】
図１２（ｆ）は、図１２（ｄ）とちょうど左右対称の場合である。また、図１２（ｈ）は、図１２（ｂ）とちょうど左右対称の場合である。
【００７５】
このように、図１２（ａ）〜（ｈ）に示す第２の変形例では、４５°毎の異なる８方向の回転方向において、照明装置１をホルダー２３に固定することができる。
【００７６】
以上、本発明の実施の形態及びその変形例を説明してきたが、これらの例によれば、同一の照明装置を同一のホルダーに対して、少なくとも異なる４つの回転方向で固定することができる。実施の形態及び第１の変形例においては、９０°毎の４つの回転方向で、また第２の変形例においては、４５°毎の８つの回転方向で、それぞれ照明装置をホルダーに固定することができる。
【００７７】
また、直管の照明装置の長手方向の任意の位置でホルダーを取り付けることができる。また、照明装置のパイプ部材の外周面に長手方向に沿って設けた一対の凸部は照明装置の発光の妨げとはならない。そのため照明装置は大きな発光面を有し、広い照射範囲を確保することができる。さらに、照明装置の両端はＧ１３口金を使用せず、コネクタ・ハーネス構造とし、直管単体で防水機能を持つようにしたことにより防水ソケットが不要となり、コストダウンを図ることができる。
【００７８】
以上、本発明の実施の形態をいろいろ説明して来たが、本発明は上記各実施の形態には限定されず、本発明の趣旨を逸脱しない範囲で種々な変形が可能である。
【符号の説明】
【００７９】
１…照明装置、２…パイプ部材、３…ホルダー（取付部材）、４…回路基板、５…ＬＥＤ、６、７…表示装置、１０ａ、１０ｂ…リード線、１１ａ、１１ｂ…コネクタ、１３…第１の変形例のホルダー、２１…凸部、２２…凹部、２３…第２の変形例のホルダー、３１…取付部、３１ａ…側面部、３１ｂ…底面部、３２…湾曲部、３３…案内部、３４、３５…境界部、４１、４２…カバー部材、６１…広告表示部、６２…筐体、６２ａ…取付板、６２ｂ…金属反射シート、７０…取付ネジ、７１…広告表示部、７１ａ…広告板、７１ｂ…透明板、７１ｃ…散乱板、７２…側面部、１３１…取付部、１３１ａ…側面部、１３１ｂ…底面部、１３２…保持部、１３３…案内部、１３４…突起部、２３１…取付部、２３１ａ…側面部、２３１ｂ…底面部、２３２…保持部、２３２ａ…凹部、２３３…案内部
【図１】
2018092738.tif 000003
【図２】
2018092738.tif 000004
【図３】
2018092738.tif 000005
【図４】
2018092738.tif 000006
【図５】
2018092738.tif 000007
【図６】
2018092738.tif 000008
【図７】
2018092738.tif 000009
【図８】
2018092738.tif 000010
【図９】
2018092738.tif 000011
【図１０】
2018092738.tif 000012
【図１１】
2018092738.tif 000013
【図１２】
2018092738.tif 000014
【図１３】
2018092738.tif 000015
【図１４】
2018092738.tif 000016